(57)【要約】【課題】  後付けされた車載機の照明色をインパネの照明色に簡単に合わせることが可能な「車載機の照明色調整装置および照明色調整方法」を提供する。【解決手段】  車両のインパネの照明が点灯された状態で撮像装置により撮影された画像データを入力する画像データ入力インタフェース１と、入力された画像データをＲＧＢデータに変換するＲＧＢ変換ＩＣ２と、インパネの照明部分に相当するＲＧＢデータを解析して車載機の照明色を設定するマイコン３とを備え、インパネの照明部分について撮影された画像データを車載機に入力してＲＧＢデータに変換し、当該ＲＧＢデータに基づいて車載機の照明色を設定するようにすることにより、ユーザは撮像装置を用いて車両のインパネの照明部分を撮影してその画像データを車載機に入力するだけで済むようにし、面倒な操作を行うことなく車載機の照明色をインパネの照明色に簡単に合わせられるようにする。【選択図】        図１
2005206030.tif 000002
【特許請求の範囲】
【請求項１】
車両のインパネの照明が点灯された状態で撮像装置により撮影された画像データを入力する画像データ入力部と、
上記画像データ入力部により入力された画像データをＲＧＢデータに変換するデータ変換部と、
上記データ変換部により変換されたＲＧＢデータのうち、上記インパネの照明部分に相当するＲＧＢデータに基づいて車載機の照明色を設定する照明色設定部とを備えたことを特徴とする車載機の照明色調整装置。
【請求項２】
上記車載機の照明が白色に点灯された状態で上記撮像装置により撮影された画像データから上記データ変換部により変換されたＲＧＢデータのうち、上記車載機の照明部分に相当するＲＧＢデータに基づいてホワイトバランス処理を行い、ＲＧＢのそれぞれについて補正係数を求めるホワイトバランス処理部と、
上記インパネの照明が点灯された状態で上記撮像装置により撮影された画像データから上記データ変換部により変換されたＲＧＢデータの少なくとも上記インパネの照明部分に相当するＲＧＢデータに上記補正係数をかけて色補正を行う色補正部とを備え、
上記色補正部により補正されたＲＧＢデータに基づいて上記照明色設定部が上記車載機の照明色を設定することを特徴とする請求項１に記載の車載機の照明色調整装置。
【請求項３】
上記画像データ入力部は、上記車載機の照明が白色に点灯されるとともに上記インパネの照明が点灯された状態で、上記車載機の照明および上記インパネの照明が共に撮影範囲に入るようにして上記撮像装置により撮影された画像データを入力し、
上記ホワイトバランス処理部は、上記画像データ入力部により入力された画像データから上記データ変換部により変換されたＲＧＢデータのうち、上記車載機の照明部分に相当するＲＧＢデータに基づいてホワイトバランス処理を行い、
上記色補正部は、上記画像データ入力部により入力された画像データから上記データ変換部により変換されたＲＧＢデータのうち、上記インパネの照明部分に相当するＲＧＢデータに対して、上記ホワイトバランス処理部により求められた補正係数をかけて色補正を行い、
上記照明色設定部は、上記色補正部により補正された上記インパネの照明部分に相当するＲＧＢデータに基づいて上記車載機の照明色を設定することを特徴とする請求項２に記載の車載機の照明色調整装置。
【請求項４】
上記照明色設定部は、上記ＲＧＢデータに基づいて、ＲＧＢ各色の割合および夫々のレベルを設定することを特徴とする請求項１〜３の何れか１項に記載の車載機の照明色調整装置。
【請求項５】
車両のインパネの照明が点灯された状態で撮像装置により撮影された画像データを車載機に入力する第１のステップと、
上記第１のステップで上記車載機に入力された画像データをＲＧＢデータに変換する第２のステップと、
上記第２のステップで変換されたＲＧＢデータのうち、上記インパネの照明部分に相当するＲＧＢデータを特定して上記車載機の照明色として設定する第３のステップとを有することを特徴とする車載機の照明色調整方法。
【請求項６】
上記第１のステップの前に、上記車載機の照明が白色に点灯された状態で上記撮像装置により撮影された画像データを車載機に入力する第４のステップと、
上記第４のステップで上記車載機に入力された画像データをＲＧＢデータに変換する第５のステップと、
上記第５のステップで変換されたＲＧＢデータのうち、上記車載機の照明部分に相当するＲＧＢデータに基づいてホワイトバランス処理を行い、ＲＧＢのそれぞれについて補正係数を求める第６ステップとを有し、
上記第２のステップと上記第３のステップとの間に、上記インパネの照明が点灯された状態で上記撮像装置により撮影された画像データから変換されたＲＧＢデータの少なくとも上記インパネの照明部分に相当するＲＧＢデータに上記補正係数をかけて色補正を行う第７のステップを有し、
上記第３のステップでは、上記第７のステップで補正されたＲＧＢデータに基づいて上記車載機の照明色を設定することを特徴とする請求項５に記載の車載機の照明色調整方法。
【請求項７】
上記第１のステップでは、上記車載機の照明が白色に点灯されるとともに上記インパネの照明が点灯された状態で、上記車載機の照明および上記インパネの照明が共に撮影範囲に入るようにして上記撮像装置により撮影された画像データを上記車載機に入力し、
上記第２のステップと上記第３のステップとの間に、上記第２のステップで変換されたＲＧＢデータのうち、上記車載機の照明部分に相当するＲＧＢデータに基づいてホワイトバランス処理を行い、ＲＧＢのそれぞれについて補正係数を求める第４のステップと、
上記第２のステップで変換されたＲＧＢデータの少なくとも上記インパネの照明部分に相当するＲＧＢデータに上記補正係数をかけて色補正を行う第５のステップとを有し、
上記第３のステップでは、上記第５のステップで補正された上記インパネの照明部分に相当するＲＧＢデータに基づいて上記車載機の照明色を設定することを特徴とする請求項５に記載の車載機の照明色調整方法。
【発明の詳細な説明】
【技術分野】
【０００１】
本発明は車載機の照明色調整装置および照明色調整方法に関し、特に、車両に後付けされるオーディオ装置やナビゲーション装置などの車載機の照明色を、車両のインストルメントパネル（以下、これを「インパネ」という。）にあらかじめ設定されている照明色に合わせるための調整を行う装置に用いて好適なものである。
【背景技術】
【０００２】
車両のインパネには、例えば各種メータ、オーディオ装置、ナビゲーション装置、エアコンなどの電子機器があらかじめ嵌め込まれている。一般に、車両の純正品としてあらかじめインパネに嵌め込まれている電子機器の照明色（以下、これを「インパネの照明色」という。）は、全体として統一感がとれるように同じ色に設定されていることが多い。
【０００３】
一方、オーディオ装置やナビゲーション装置などの車載機は、カー用品店などで市販されているものを車両に後付けすることも可能である。通常、市販されている後付け用の車載機の照明色は、それ独自の色にあらかじめ設定されている。したがって、インパネの照明色と後付けの車載機の照明色とが異なってしまうことがある。そこで、車載機の中には、照明色を調整できるようにしたものも提供されている。最近では、３色のＬＥＤ（発光ダイオード）を用いて２５６色程度を選択できるようになっている。
【０００４】
しかしながら、従来は、照明色の調整を手動で行わなければならず、インパネの照明色と同じ色を選び出すのに多くの時間と手間がかかってしまうという問題があった。なお、データ入力部から入力されたデータに基づいてインパネの照明色を自動的に調整する技術が提案されている（例えば、特許文献１参照）。しかし、この技術においても、データ入力はユーザがキーボードやスイッチを用いて行う必要があり、多くの時間と手間がかかるという問題は解消されていない。
【特許文献１】特開２００３−１１７２１号公報
【発明の開示】
【発明が解決しようとする課題】
【０００５】
本発明は、このような問題を解決するために成されたものであり、後付けされた車載機の照明色をインパネの照明色に簡単に合わせることができるようにすることを目的とする。
【課題を解決するための手段】
【０００６】
上記した課題を解決するために、本発明による車載機の照明色調整装置は、インパネの照明部分について撮影された画像データを車載機に入力してＲＧＢデータに変換し、当該ＲＧＢデータに基づいて車載機の照明色を設定するように構成している。
【発明の効果】
【０００７】
上記のように構成した本発明によれば、ユーザは撮像装置を用いて車両のインパネの照明部分を撮影してその画像データを車載機に入力するだけで、車載機内部の照明色調整装置においてインパネの照明色がＲＧＢデータとして解析され、それが車載機の照明色として設定されることとなる。これにより、面倒な操作を行ってＲＧＢのそれぞれを調整したり、キーボードやスイッチを使った面倒なデータ入力を行ったりする必要がなく、車載機の照明色をインパネの照明色に簡単に合わせることができる。
【発明を実施するための最良の形態】
【０００８】
以下、本発明の一実施形態を図面に基づいて説明する。図１は、本実施形態による車載機の照明色調整装置の構成例を示すブロック図である。図１に示すように、本実施形態の照明色調整装置１０は、画像データ入力インタフェース１と、ＲＧＢ変換ＩＣ２と、マイクロコンピュータ（以下「マイコン」という。）３とを備えて構成されている。
【０００９】
画像データ入力インタフェース１は、カメラ付き携帯電話やデジタルカメラなどの撮像装置により撮影された画像データを入力するものである。カメラ付き携帯電話やデジタルカメラでは、撮影された画像データはＢＭＰ、ＪＰＥＧ、ＴＩＦＦなどの形式でメモリカードに保存される。画像データ入力インタフェース１は、メモリカードの挿入スロットを有しており、当該挿入スロットに差し込まれたメモリカードから画像データを読み出して照明色調整装置１０に入力する。この画像データ入力インタフェース１は、本発明の画像データ入力部に相当する。
【００１０】
ＲＧＢ変換ＩＣ２は、画像データ入力インタフェース１より入力された画像データをＲＧＢデータ（画素毎のＲデータ、Ｇデータ、Ｂデータ）に変換するものである。表示装置を備えた最近の車載機（例えば、ナビゲーション装置など）では、メモリカードから画像データを入力して表示装置に表示する機能を備えたものが存在する。このような車載機には、入力された画像データを表示用のＲＧＢデータに変換するＩＣが備えられているので、ＲＧＢ変換ＩＣ２としてこれを利用すれば良い。このＲＧＢ変換ＩＣ２は、本発明のデータ変換部に相当する。
【００１１】
マイコン３は、ＲＧＢ変換ＩＣ２により変換されたインパネ照明部分のＲＧＢデータに基づいて、車載機の照明色を設定する処理を行う。また、このマイコン３は、ＲＧＢ変換ＩＣ２により変換された車載機照明部分のＲＧＢデータ（車載機の照明を白色に点灯したときのもの）に基づいて、ホワイトバランス処理も行う。マイコン３が車載機の照明色を設定する際には、上述したインパネ照明部分のＲＧＢデータに対して、ホワイトバランス処理によってＲＧＢのそれぞれについて求めた補正係数をかけて色補正を行う。そして、このように補正されたＲＧＢデータに基づいて車載機の照明色を設定する。マイコン３は、設定したＲＧＢデータに基づいて車載機のＬＥＤドライバ２０を駆動し、図示しない３色のＬＥＤを発光させる。このようにマイコン３は、本発明の照明色設定部、ホワイトバランス処理部および色補正部を構成する。
【００１２】
次に、上記のように構成した本実施形態による照明色調整装置１０の動作について説明する。図２は、照明色調整装置１０の動作を含めた一連の照明色調整手順の例を示すフローチャートである。図２において、まず、車載機の照明を白色となるように調整して点灯させ、その照明部分が撮影範囲に入るようにして撮影した画像データを画像データ入力インタフェース１から入力する（ステップＳ１）。なお、車載機の照明の調整は、ユーザが図示しない操作部を操作することによって行う。マイコン３は、白色に調整されたＲＧＢデータによってＬＥＤドライバ２０を駆動し、車載機の照明を白色に点灯する。
【００１３】
ＲＧＢ変換ＩＣ２は、画像データ入力インタフェース１より入力された画像データをＲＧＢデータに変換し、マイコン３に出力する（ステップＳ２）。マイコン３は、ＲＧＢ変換ＩＣ２により変換された全撮影範囲のＲＧＢデータのうち、車載機の照明部分に相当するＲＧＢデータに基づいてホワイトバランス処理を行い、ＲＧＢのそれぞれについて補正係数を求める（ステップＳ３）。求めた補正係数は、マイコン３内の図示しないメモリに保存しておく。ここで、車載機の照明部分は、撮影範囲をスキャンして輝度が他より高い部分を探すことによって抽出することが可能である。
【００１４】
次に、インパネの照明を点灯し、その照明部分が撮影範囲に入るようにして撮影した画像データを画像データ入力インタフェース１から入力する（ステップＳ４）。ＲＧＢ変換ＩＣ２は、画像データ入力インタフェース１より入力された画像データをＲＧＢデータに変換し、マイコン３に出力する（ステップＳ５）。マイコン３は、ＲＧＢ変換ＩＣ２により変換されたＲＧＢデータに対して、ステップＳ３で求めた補正係数をかけて色補正を行う（ステップＳ６）。なお、色補正は、撮影範囲の全体に対して行っても良いし、撮影範囲をスキャンして輝度が他より高いインパネ照明部分だけを抽出して行っても良い。
【００１５】
最後に、マイコン３は、色補正されたインパネ照明部分のＲＧＢデータに基づいて車載機の照明色を設定する（ステップＳ７）。具体的には、色補正されたインパネ照明部分のＲＧＢデータを解析してＲ，Ｇ，Ｂの割合を検出し、その検出した割合を、車載機の照明として用いられる３色のＬＥＤの発光割合としてそのまま設定する。また、色補正されたインパネ照明部分のＲＧＢデータを解析してＲ，Ｇ，Ｂの各レベルを検出し、その検出したレベルをＬＥＤの発光レベルとして設定するようにしても良い。このようにすれば、照明色に加えて、照明の明るさもインパネの照明に合わせることができる。
【００１６】
なお、図２の例では、車載機の照明部分とインパネの照明部分とを２回に分けて撮影する例について説明したが、両照明部分が撮影範囲に入るようにして一度に撮影するようにしても良い。図３は、その場合の動作を示すフローチャートである。
【００１７】
図３において、まず、車載機の照明が白色となるように調整して点灯するとともに、インパネの照明も点灯し、それらの照明部分が共に撮影範囲に入るようにして撮影した画像データを画像データ入力インタフェース１から入力する（ステップＳ１１）。ＲＧＢ変換ＩＣ２は、画像データ入力インタフェース１より入力された画像データをＲＧＢデータに変換し、マイコン３に出力する（ステップＳ１２）。
【００１８】
マイコン３は、ＲＧＢ変換ＩＣ２により変換された全撮影範囲のＲＧＢデータのうち、車載機の照明部分に相当するＲＧＢデータに基づいてホワイトバランス処理を行い、ＲＧＢのそれぞれについて補正係数を求める（ステップＳ１３）。ここで、車載機の照明部分は、例えば、全撮影範囲のうち車載機が写っていると予想される範囲をスキャンして輝度が他より高い部分を探すことによって抽出することが可能である。車載機が写っていると予想される範囲とは、例えば、撮影範囲を左右に２分割したうちの左側または右側の何れかである。例えば撮影範囲の右側を車載機が写っている範囲とする場合は、ステップＳ１１での撮影の際には、図４のように車載機の照明が右側、インパネの照明が左側に入るような撮影範囲で撮影する必要がある。
【００１９】
次に、マイコン３は、ＲＧＢ変換ＩＣ２により変換されたＲＧＢデータに対して、ステップＳ１３で求めた補正係数をかけて色補正を行う（ステップＳ１４）。なお、色補正は、撮影範囲の全体に対して行っても良いし、撮影範囲をスキャンして輝度が他より高いインパネ照明部分だけを抽出して行っても良い。インパネの照明部分は、例えば、全撮影範囲のうちインパネが写っていると予想される範囲をスキャンして輝度が他より高い部分を探すことによって抽出することが可能である。インパネが写っていると予想される範囲とは、例えば、撮影範囲を左右に２分割したうちの左側または右側の何れかである。
【００２０】
最後に、マイコン３は、色補正されたインパネ照明部分のＲＧＢデータに基づいて車載機の照明色を設定する（ステップＳ１５）。具体的には、色補正されたインパネ照明部分のＲＧＢデータを解析してＲ，Ｇ，Ｂの割合を検出し、その検出した割合を、車載機の３色のＬＥＤの発光割合として設定する。また、Ｒ，Ｇ，Ｂの各レベルを検出し、その検出したレベルをＬＥＤの発光レベルとして設定するようにしても良い。
【００２１】
以上詳しく説明したように、本実施形態によれば、インパネの照明部分について撮影された画像データを車載機に入力してＲＧＢデータに変換し、当該ＲＧＢデータに基づいて車載機の照明色を設定するようにしたので、ユーザは撮像装置を用いて車両のインパネの照明部分を撮影してその画像データを車載機に入力するだけで良く、面倒な操作を行うことなく車載機の照明色をインパネの照明色に簡単に合わせることができる。
【００２２】
また、本実施形態では、単にインパネの照明部分を撮影してその照明色を車載に設定するだけでなく、白色に調整して点灯した車載機の照明部分を撮影してホワイトバランス処理を行うようにしたので、実際のインパネの照明色と撮影された画像に写っているインパネの照明色との誤差を小さくすることができ、車載機の照明色をインパネの照明色により忠実に合わせることができる。
【００２３】
また、図３のような手順で車載機の照明色を設定するようにした場合は、１回の撮影でホワイトバランス処理と照明色の設定処理とを行うことができるようになり、ユーザの作業負担を更に軽減することができる。
【００２４】
なお、上記実施形態では、車載機の照明部分およびインパネの照明部分をスキャンによる輝度のピーク検出によって抽出する例について説明したが、これに限定されるものではない。例えば、撮影した画像をタッチパネル付きの表示装置に表示し、ユーザがタッチした位置を車載機の照明部分あるいはインパネの照明部分として抽出するようにしても良い。このようにすれば、照明部分の検出をより簡単に行うことができる。また、インパネの照明色が２種類以上あるような場合に、その中から車載機の照明色として合わせたい色を簡単に選ぶことも可能である。
【００２５】
また、上記実施形態では、撮像装置で撮影された画像データをメモリカードから照明色調整装置１０に入力する例について説明したが、これに限定されない。例えば、画像データ入力インタフェース１を無線通信部により構成し、撮像装置あるいはこれに接続されたアダプタなどから無線通信により画像データを照明色調整装置１０に入力するようにしても良い。
【００２６】
また、上記実施形態では、車載機の照明色をインパネの照明色に合わせる例について説明したが、インパネについても照明色を調整する機能が付いている場合には、インパネの照明色を車載機の照明色に合わせるようにしても良い。
【００２７】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２８】
本発明の照明色調整装置は、照明色を調整可能に構成されているオーディオ装置やナビゲーション装置などの車載機に適用して好適である。
【図面の簡単な説明】
【００２９】
【図１】本実施形態による車載機の照明色調整装置の構成例を示すブロック図である。
【図２】照明色調整装置の動作を含めた一連の照明色調整手順の例を示すフローチャートである。
【図３】照明色調整装置の動作を含めた一連の照明色調整手順の他の例を示すフローチャートである。
【図４】撮影範囲の一例を示す図である。
【符号の説明】
【００３０】
１  画像データ入力インタフェース
２  ＲＧＢ変換ＩＣ
３  マイコン
１０  照明色調整装置
２０  ＬＥＤドライバ
【図１】
2005206030.tif 000003
【図２】
2005206030.tif 000004
【図３】
2005206030.tif 000005
【図４】
2005206030.tif 000006